(57)【特許請求の範囲】
【請求項１】
複数のベツト柱（１）ベツト横梁（２）間仕切り柱（２５）によって立方体の骨組みを構成し、内部には複数のベツト柱（１）に取付けられた下段ベツト（３）及び上段ベツト（４）を装備した立方体の内部空間の半分がベツト空間（２４）となり、残り半分の内部空間が居住空間（２３）となることを特徴とする区画間仕切りが可能な二段ベツト
【請求項２】
立方体の骨組の周りには、天井パネル（１３）壁パネル（１４）床パネル（１５）がそれぞれの方法で取り付けられていることを特徴とする請求項１に記載の区画間仕切りが可能な二段ベツト
【請求項３】
ベツト柱（１）の頭頂部には、ベースプレート（１８）が取り付けられており、隣り合う複数のベースプレート（１８）同士を連結するために連結金具（１９）を使用することを特徴とする請求項１乃至２に記載の区画間仕切りが可能な二段ベツト
【請求項４】
複数のベツト柱（１）ベツト横梁（２）、半柱（２６）と下段ベツト（３）及び上段ベツト（４）とで構成され、居住空間（２３）が省略されてベツト空間（２４）のみを構成した単独二段ベツト（３３）と連結することにより、占有する単位床面積を軽減できることを特徴とする請求項１乃至３のいずれかに記載の区画間仕切りが可能な二段ベツト  
【発明の詳細な説明】
【技術分野】
【０００１】
本発明は、災害時等の避難所内で中長期に渡りプライバシーを守ることが出来き、区画間仕切りが可能な二段ベツトに関する。
【背景技術】
【０００２】
先ほど発生した東日本震災において、避難所の生活に疲労を根拠として亡くなった高齢者が多数発生した。これは、まだ３月という寒い時期、東北と言う寒冷地、慣れない体育館などの雑魚寝生活に基づく、心身の疲労の累積と断言できる。
【０００３】
主な原因を考察すると、高齢者にとって津波ですべて失ってしまったという精神的疲労や、慣れない避難場所における雑多な雑魚寝による睡眠不足などの累積があげられる。また、過密な集団生活に基づく、インフルエンザ等の感染症によることも死亡原因の１つであった。
【０００４】
集団での過密な状況の中で、日中安静に休むことはままならない。それは、健康な青年ならば可能なのかもしれないが。高齢者にとっては、非常に過酷なものとなる。将来に於いても、せっかく津波対策シェルター等により命を長らえても、避難所における実際の避難生活が過酷なものでは、あまりにも悲惨である。
【０００５】
仮にもし、避難所の屋内でこの区画間仕切りが可能な二段ベツトが使用できたなら、無駄に心身の疲労等による死亡する高齢者を減らすことが出来たであろう。
【先行技術文献】
【特許文献】
【０００６】
【特許文献１】特開２０１０ ―１６２３１１
【発明の概要】
【発明が解決しようとする課題】
【０００７】
従来の常識的な方法は、公立学校の体育館等の床にダンボールなどを敷き並べ、そこに避難市民が雑魚寝状態で睡眠や日常の生活をおくっていた。特に東日本第震災の場合は、まだ寒い3月でもあり、東北地方という寒冷地であったことが複合的要因となり、高齢者の過労死の発生が多かった。
【０００８】
震災以降も、ダンボールなどを利用したつい立のようなものが有償、無償で提供されているものの、依然として避難所においてプライバシーを確保できる程度のものではないことが明白である。
【課題を解決するための手段】
【０００９】
複数のベツト柱（１）ベツト横梁（２）間仕切り柱（２５）によって立方体の骨組みを構成し、内部には複数のベツト柱（１）に取付けられた下段ベツト（３）及び上段ベツト（４）を装備した立方体の内部空間の半分がベツト空間（２４）となり、残り半分の内部空間が居住空間（２３）となることを特徴とする区画間仕切りが可能な二段ベツトであり、かつ、立方体の骨組の周りには、天井パネル（１３）壁パネル（１４）床パネル（１５）がそれぞれの方法で取り付けられていることを特徴とする請求項１に記載の区画間仕切りが可能な二段ベツトであり、かつ、ベツト柱（１）の頭頂部には、ベースプレート（１８）が取り付けられており、隣り合う複数のベースプレート（１８）同士を連結するために連結金具（１９）を使用することを特徴とする請求項１乃至２に記載の区画間仕切りが可能な二段ベツトであり、かつ、複数のベツト柱（１）ベツト横梁（２）、半柱（２６）と下段ベツト（３）及び上段ベツト（４）とで構成され、居住空間（２３）が省略されてベツト空間（２４）のみを構成した単独二段ベツト（３３）と連結することにより、占有する単位床面積を軽減できることを特徴とする請求項１乃至３のいずれかに記載の区画間仕切りが可能な二段ベツト  
【００１０】
本発明では、まず体育館等の床に直に就寝することを回避することを目指した。つまり、避難所の体育館内の空間スペースを最大現に利用することに知見した。避難所での1人に与えられる床面積は、敷き布団1枚を敷き並べる程度と思われる。そこで、幅１ｍ×長さ２ｍ＝約２ｍ２のスペースを縦層的に利用することを思いついた。
【００１１】
また、該発明により小規模に区画されれば、冬季の断熱効果も期待できる。該発明を利用することにより、昼夜に於いて他人の発生する雑音や視線を回避することができる。睡眠の熟睡度の低い高齢者や夜泣きをする乳幼児などにとっても非常に有益なものと考える。
【００１２】
該発明とは、一般家庭内に存在する二段ベツトの発展形のものである。避難所内の空間を立体的に利用するということである。しかし、あまり剛健なものを体育館等内に持ち込むと、退去する時に多大な労力が必要となってしまう。そこで、組立も分解も短時間で出来るものを開発した。出来れば、電動工具も必要としない組み立て形式のものを選定した。
【発明の効果】
【００１３】
公立小学校等の体育館が避難所として使用される。冬季は、底冷えがする構造の建物であり、しかもフローリング材による板張の床の上に雑魚寝となる。また、集団なので深夜にイビキや寝言等により十分に睡眠できない環境が想定される。
【００１４】
このような劣悪な状況下においても、２〜３人単位の為の区画間仕切りのベツトがあったならば、ある一定程度以上のプライベートな空間を確保することができ、夜間にはある程度の熟睡時間が確保することが出来る。
【００１５】
また、乳幼児を伴った避難者にとっても、子供の夜泣きやオムツの取り替えの為に、他の避難者の睡眠を妨げることなくオムツの取り替えが可能となる。少ない空間であるが、少しでも避難市民の快適な生活を確保できる。
【００１６】
介護が必要とされる高齢者のケアーも第三者の視線を遮ることができる。オムツ等の匂いをすべて遮断することは出来ないが、視界から遮ることができる。健常者の服の着替えもカーテンを閉じるだけで容易に行うことができる。
【００１７】
また、使用材料も基本的には、木製、金属製、樹脂製等を予定している。特に木製品に於いては、間伐材を使用することを大きな目的としている。現時点における間伐材による製品が付加価値の少ないものがほとんどで、該発明を製品化することにより、間伐材の需要の拡大に貢献できる。
【００１８】
この工法は、体育館内だけでなく一般教室内にも設置でき組み立ても比較的に短期間に出来うるものである。１人〜４人対応の区画間仕切り設置に必要な敷地内の面積は約４ .０ｍ２で設置できうるように考案した。従来の商品では、構造が複雑であったり大規模なものであったり、組み立てに要するのに長時間必要とされた。
【００１９】
もう一つの利点は、主な材料は間伐材が中心で、その他の材料としてダンボールや紙管を使用するので経済性に優れていることは明白な事実である。国内でも震災等に先立ち、備蓄する必要性の高い備品である。また、今後の普及速度の高速化も可能となる。
【００２０】
この発明は特に、国内の離島、海岸線の小規模集落に設置するにも、普及の速度も期待できる。近い将来には、全世界の海抜ゼロメートル地帯への普及ができる。工場製造済みで、国内の離島や小規模集落、ましてや開発途上国には普及が進む可能性がある。
【図面の簡単な説明】
【００２１】
【図１】本発明の骨組図
【図２】本発明の斜視図
【図３】本発明のパネル断面図  （１）壁パネル（２）天井パネル（３）床パネル
【図４】本発明の凸凹金具断面図
【図５】本発明のベースプレートと連結金具の詳細図  （１）平面図  （２）縦断面図
【図６】本発明の連結図  （１）正面図  （２）Ａ−Ａ断面図
【図７】本発明の全体平面図
【図８】本発明の下段ベツト、上段ベツトの斜視図
【図９】単独二段ベツトの詳細図  （１）斜視図    （２）結合した正面図
【発明を実施するための形態】
【００２２】
基本的に、避難所等の近くに備蓄されることか望ましい。なぜならば、二段ベッドを組み立てに要する時間が必要となる。木製であれば、木ビス等で固定化をはかれ、金属製等であれば、専用のビス等で組み立てが完了する。
【００２３】
図１より、二段ベツトの骨組の説明をする。縦、横、高さとも約２．０ｍの区画を基準とする。ベツト柱１、ベツト横梁２は、力学的強度の必要性から、長さが２ｍの１本物の木材を使用する。四本のベツト柱１と四本の間仕切り柱２５及び八本のベツト横梁２によって構成されている。筋違５は、横揺れを防止するために、ベツト柱１と同等程度のものを使用する。筋違５の本数は、必要な程度で随時配置する。今回の実施例では二段式のベツトにしたが、利用者が成人ではなく児童のみ場合ならば、三段式としても使えることも考案に含めた。その際には、高さ制限について再考する必要があることとした。また、通常は、この部分のみで二段ベツトとしての使用が可能な状態となる。
【００２４】
二段ベツトのサイズをメートル単位のメーターモジュールと表記とした。しかし、一般建築材料において、縦１８２ｃｍ、横９１ｃｍを基準として工場で製造されている。実際の製造に当たっては、経済性で有利となる日本建築式の尺モジュールの六尺×三尺の基準で製作することも考慮に入れた。近年の日本人の成人の高身長化に対応できないかもしれないが、経済性を優先することとした。生産コストに関係なく製造する場合は、メーターモジュールで製造することとした。
【００２５】
下段ベツト３、上段ベツト４は、工場内で四方向を木製枠３２で構成されており、人が就寝する床の部分は、間伐材等の板材で補強されている。また、木製枠３２には凸金具１６が取付けられており、ベツト柱１の内部側には凹金具１７が取付けられている。凸金具１６、凹金具１７は、避難所の現地でも容易に取付けられることも考案に含めた。被災地での組み立て時間の短縮のために、工場内での取付けとした。梯子及び上段ベツト４、下段ベツト３に取り付ける落下防止策及び梯子は、間伐材等で造られている。一般の二段ベツトに使用されるものと同等程度のものを使用する。定着方法も、金具等で脱着が可能な形式や、接着された形式ものとした。
【００２６】
図２の説明をする。前図で説明した骨組みに各部位に合ったパネルを取り付ける。天井には、天井に適合した機能を持ったパネル化したものを取り付ける。壁、床も同様な物を取り付ける。パネルのサイズは、縦が２ｍで横が１ｍの寸法を取り付けることを原則とした。縦が２ｍで横も２ｍの寸法の方が単位製造コストは、安くなるが、小さいサイズの方が運搬及び備蓄するための空間確保に有利と考えた。
【００２７】
パネルをベツト柱１への取り付ける方法は、ダンボール素材のものはステープルすなわちコの字状の針である。また、木製材料を使用する場合は、木ビスを充電式ドライバー等で取り付けることとした。ただし、震災地で電動工具等が使用できないことを前提として、凸凹形状の取付け金具も考案した。ベツト柱１には、凹金具１７が取付けられおり、各パネル側には凸金具１６が取り付けられている。
【００２８】
図３（１）の説明をする。骨組みに取り付ける壁パネル１４の断面図である。壁表面材６に挟まれた壁断熱材７が存在する。実施例では、壁表面材６はダンボール等を使用し壁断熱材７は、発泡スチロール又は発泡ウレタン等を使用する。壁表面材６は、木製のべニア等の薄い材料が経済的に安価で入手出来たり、重さが軽量であったり、解体後に於いて処理等が安易であれば積極的に使用する。また、壁断熱材７がダンボール製の物でも経済的に有利であれば、積極的に使用する。
【００２９】
一般的に流通している事務用パーテーションなどのボードやダンボール素材で緩衝部分を合わせ持った製品があれば使用する。リサイクル性と経済性を合わせ持つものが後発的に開発されれば積極的に使用する。
【００３０】
図３（２）の説明をする。骨組みに取り付ける天井パネル１３の材料である。縦横を天井枠材８で囲まれた木製、樹脂製、紙製等の枠にメッシュシート９を取り付ける。取付け方法は、一般的な方法で行うとする。メッシュシート９は、夏季など気温の高い時に仕切り内部に蓄熱をしないように考案した。また、天井シートは、冬季などの低温時期に間仕切り内部の熱が拡散しないように装備させた。塩化ビニール等の素材を使用して、色彩は透明かもしくは半透明や採光性の高いものを使用して、太陽光線の取り入れが容易に行えるように考案した。冬季の断熱対策として、天井パネル１３の上に梱包用の空気入り緩衝材も敷き並べることも考案した。一般的に入手可能なものなので、随時取り付けることとした。
【００３１】
図３（３）の説明をする。骨組みに取り付ける床パネル１５の材料である。床表面材１１は木製のべニア等であり、表面は滑らないように加工されている。簡単な方法では、粘着シート付の滑り止めを貼る。床断熱材１２は、発泡ウレタン等を使用する。公立学校の体育館等の床に直接座ったりすることのない様に考案した。また、下段ベツト３の下の床には、断熱用の発泡体のみを敷き詰めることとした。
【００３２】
図４より、パネル取付けのための金具の説明をする。ベツト柱１の側には、凹金具１７が木ビス等で取り付けてあり、壁パネル１４側には凸金具１６が取り付けてある。この二種類の金具を使用することにより、避難所での組み立て時間を短縮することが出来る。また、解体や移設する際にも分解及び組み立ての時間も短縮できる。
【００３３】
図５（１）より、二段ベツトを連結するための連結装置も考案した。ベースプレート１８の頭部は、溝２１が設けてありその溝２１に合わせて連結金具１９をスライドさせて挿入を完了する。溝２１の形状を複雑にしたのは、安易に外れないようにするためである。
【００３４】
図５（２）より、ベツト柱１の頭頂部又は側面の頭頂部に木ビス２０等によって固定されたベースプレート１８がある。素材は、金属製。樹脂製等であり横揺れが発生した時には、連結を維持出来る強度を持った物とした。連結金具１９も金属製又は樹脂製等で十分な強度を持ったものとした。断面図に於いて二組の抱き合わせ時の例で表示したため、壁パネル１４の幅を省略した。しかし、一組での単独使用時に於いて、連結金具１９の全長は壁パネル１４の厚み×２の長さを含めた全長となる。
【００３５】
図６（１）は、正面図である。区画間仕切りが可能な二段ベツトを二組み合わせた事例を示した。ベツト柱１の頭頂部に取り付けられた連結金物１９とベースプレート１８を挟んで左右対称に二段ベツトが配置されている。中心に近いスパンは、壁パネル１４は取付けられていなく、出入り口の開口部２２となっている。また、どちらかの開口部２２は、壁パネル１４で塞がれている。
【００３６】
図６（２）は、Ａ−Ａ断面図である。斜線で表示した部分が上段ベツト４を示し、ベツト空間２４となる。家族構成が４人の場合には、ベツトは、４個必要となる。バラバラで区画間仕切りが可能な二段ベツトを二組使用すると居住空間２３が有効に使用できない。そこで、区画間仕切りが可能な二段ベツトを交互に組み合わせることにより、居室空間２３を連続して使用できるも考案した。接合部の真ん中にある可動間仕切り柱２７は、完全に取り除くことは強度の低下となるので、図面上で言う、上下に振り分けることとした。柱間の約半分の５０〜７５ｃｍ程度移動することができるものとした。このことを破線及び二点破線で表示した。
【００３７】
ベツトに接続する半柱２６は、人間の荷重等を負担するために取り付けることとした。ただし、ベツト柱１の太さより同等程度かまたは、細いものを装備することとした。基本的には、ベツト柱１の４本で支持するが、補強柱として半柱２６を追加できることとした。
【００３８】
図７より、体育館等に二段ベツトを複数連結して設置した平面図である。このような形で利用すれば、各避難者のプライバシーをある一定程度確保されることは間違いない。
公立学校の平均的な寸法の体育館内を想定して設置した図面である。幅２２ｍ、長さ２８ｍの寸法の体育館内で仮定してみた。約６２０ｍ２に最低数であっても７７個のユニットを収納できる。つまり、１５４人の避難所を確保することができる。今回の実施例では、各々を二人で使用する前提で配置したが、家族四人で区画間仕切りが可能な二段ベツトを二組分を使用する場合でも、ほぼ同じ配置と収容人数の確保ができる。
【００３９】
ベツト柱１の頭頂部に取り付けたベースプレート１８と連結金具１９により、各ベツトのユニットは複数の物に結合でき、地震等の横揺れに抵抗できるように考案した。経済的に安価に仕上げるためには、金属製のフラットバーを木ビスで固定させることが最善である。しかし、被災地において充電式ドライバーが必ず確保される保証がないので、手作業で連結させることを考案した。
【００４０】
また、実施する際には、体育館内部で区画割を行って、女子専用ゾーンと男子専用ゾーン及び家族専用ゾーンなどに分けて使用することも可能な様になることも考案内容に含めた。また、細かな使用方法は、各々の避難所ごとにアレンジできるようにした。
【００４１】
図８の説明をする。下段ベツト３、上段ベツト４の詳細サイズである。四方向を間伐材等の木材で囲まれた木製枠３２の上に横板をはめ込んだものである。また、木製枠３２の側面には凸金具１６がベツト柱１、半柱２６等の数量と同じだけ取り付けてある。１か所だけは、間仕切り柱２５と接合するので、そこに対応する木製枠３２の側面にも凸金具１６を取り付ける。
【００４２】
図９（１）の説明をする。居住空間２３を省略してベツト空間２４のみで構成された単独二段ベツト３３も考案した。その理由は、避難所において収容しなければならない市民の数が多い場合には、区画間仕切りが可能な二段ベツトを出来る限り配置したいためである。単独二段ベツト３３の床面積は、２．０ｍ２で、区画間仕切り可能な二段ベツトに連結すると合計で６ｍ２となる。４人で使用するので６÷４人＝１．５ｍ２／１人となる。
【００４３】
実施例では、４本のベツト柱１に４本のベツト横梁２と短いベツト横梁２を４本装備している。この内部に、凸金具１６、凹金具１７を使用して取付けられた下段ベツト３及び上段別４も装備している。半柱２６が１つしか装備していないのは、可動間仕切りが可能な２段ベツトの区画間仕切り柱２７を連結時には利用できるからである。
【００４４】
図９（２）より、区画間仕切りの出来る二段ベツトと単独二段ベツト３３を結合した場合の正面図を示した。中央の開口部２２を出入り口として使用するため、居住空間はほとんど使用できなくなる。しかし、少しでも多くの避難市民を収容するためには、合理的なこの構成とした。ベースプレート１８はベツト柱１の頭頂部に、凹金物１７はベツト柱１の側面に取り付けられている。
【産業上の利用可能性】
【００４５】
海外に生産を拡大した場合には、生産工場から設置現場へも比較小さなトラックで運搬が可能である。アジア、アフリカ、太平洋の島国など開発途上国の普及にも、非常に有効な発明である。金属製、樹脂製のものと比べると、耐塩害性についても有利な素材を使用したことによりメンテナンスに手間がかからない。安い値段で普及する発明を今回目指した。部品については、東北地域の業者や資材も間伐材を選定する予定である。
【符号の説明】
【００４６】
１  ベツト柱
２  ベツト横梁
３  下段ベツト
４  上段ベツト
５  筋違
６  壁表面材
７  壁断熱材
８  天井枠材
９  メッシュシート
１０  天井シート
１１  床表面材
１２  床断熱材
１３  天井パネル
１４  壁パネル
１５  床パネル
１６  凸金具
１７  凹金具
１８  ベースプレート
１９  連結金具
２０  木ビス
２１  溝
２２  開口部
２３  居住空間
２４  ベツト空間
２５  間仕切り柱
２６  半柱
２７  可動間仕切り柱
３１  演台
３２  木製枠
３３  単独二段ベツト
【要約】
【課題】
東日本震災で二万人以上の市民が避難を完了することなくして亡くなった、またさらには、せっかく避難施設までのたどり着いたものの避難所での生活環境があまりにも過酷なために、多くの高齢者が避難後に亡くなった。その原因は、避難所内に於いて雑魚寝等の生活が長く続き体調を悪くして亡くなったことであった。
【解決手段】
複数のベツト柱（１）ベツト横梁（２）間仕切り柱（２７）により立方体の骨組みを構成し、内部にはベツト柱（１）に取付けられた下段ベツト（３）及び上段ベツト（４）が装備されていることを特徴とする区画間仕切りが可能な二段ベツトを採用することを考案した。
【選択図】図１【図１】
0005569997.tif 000002
【図２】
0005569997.tif 000003
【図３】
0005569997.tif 000004
【図４】
0005569997.tif 000005
【図５】
0005569997.tif 000006
【図６】
0005569997.tif 000007
【図７】
0005569997.tif 000008
【図８】
0005569997.tif 000009
【図９】
0005569997.tif 000010